(57)【要約】【課題】自動巻取り式スクリーン装置のスクリーンの巻取り時における衝撃及び衝突音を緩和するためのダンパーを設けながらも、スクリーンの展張時における抵抗を可及的に低減することにより操作性を改善する。【解決手段】巻取りボックスの一端のブラケット１３に固定したコイルスプリング９の他端を巻取軸６に固定し、且つ、スクリーン７の巻取り時における衝撃及び衝突音を緩和するためのダンパー２５を設けた自動巻取り式のスクリーン装置において、巻取りボックスに固定した固定軸１６上のダンパー２５と巻取軸６との間に、コイルスプリング９の回転付勢力に抗してスクリーンを展張する方向に巻取軸を回転させる場合にはダンパー２５と巻取軸６との間の接続が断たれ、巻取軸がスクリーンを巻き込む方向に回転する場合には、上記ダンパーと巻取軸との間が接続される一方向クラッチ機構３０を介装する。【選択図】　　　　図１
2004124649.tif 000002
【特許請求の範囲】
【請求項１】
スクリーンを巻き付ける巻取軸に内蔵されたコイルスプリングの捩りによる回転付勢力をスクリーンの巻取用の駆動源とし、上記スクリーンの先端に開閉操作用の操作框を取り付けて、該スクリーンを開閉するようにした自動巻取り式のスクリーン装置であって、
巻取りボックスに上記巻取軸を回転自在に支持させると共に、その巻取りボックスの一端のブラケットに対して固定的に設けたコイルスプリングの他端を巻取軸に固定したスプリング受けに取り付け、上記巻取りボックスのブラケットに固定された固定軸と巻取軸との間に、該巻取軸に対して制動力を作用させるダンパーを設けたものにおいて、
上記固定軸上に、上記コイルスプリングの回転付勢力に抗してスクリーンを展張する方向に巻取軸を回転させる場合には、ダンパーと巻取軸との間の接続が断たれ、巻取軸がスクリーンを巻き込む方向に回転する場合には、少なくとも巻取りの後期において上記ダンパーと巻取軸との間が接続される一方向クラッチ機構を介装した、
ことを特徴とする自動巻取り式スクリーン装置。
【請求項２】
一方向クラッチ機構として、上記巻取りボックスに固定した固定軸にダンパーを介して連結したダンパー側のクラッチ片と、巻取軸と一体的に回転するがその軸線方向には摺動自在とし、且つ上記ダンパー側のクラッチ片に設けた支持軸に対して回転自在に嵌挿された巻取軸側のクラッチ片とを備え、
両クラッチ片の間に、スクリーンを展張する方向に巻取軸を回転させる場合には噛合しないが、スクリーンを巻き込む方向に巻取軸が回転する場合には噛合するクラッチ歯を設け、
巻取軸側のクラッチ片をダンパー側のクラッチ片に対して両クラッチ歯が噛合する程度に付勢する付勢手段を設けた、
ことを特徴とする請求項１に記載の自動巻取り式スクリーン装置。
【請求項３】
一方向クラッチ機構として、上記巻取りボックスに固定した固定軸にダンパーを介して連結したダンパー側のクラッチ片と、巻取軸と一体的に回転するがその軸線方向には摺動自在とし、且つ上記ダンパー側のクラッチ片に設けた支持軸に対して螺旋動作機構を介して連結した巻取軸側のクラッチ片とを備え、
上記螺旋動作機構は、巻取軸側のクラッチ片が上記支持軸に対して回転はするが、スクリーンを展張する方向に巻取軸を回転させる場合にはその回転に伴って上記ダンパー側のクラッチ片から離間する方向に駆動され、スクリーンを巻き込む方向に巻取軸が回転する場合には上記ダンパー側のクラッチ片に接近する方向に駆動される機構として構成し、
両クラッチ片にはそれらが当接時に相互に噛合するクラッチ歯を設けた、
ことを特徴とする請求項１に記載の自動巻取り式スクリーン装置。
【請求項４】
螺旋動作機構が、ダンパー側のクラッチ片上の支持軸と巻取軸側のクラッチ片の双方に設けた相互に螺合するねじである、
ことを特徴とする請求項３に記載の自動巻取り式スクリーン装置。
【請求項５】
巻取軸側のクラッチ片と支持軸との間の螺旋動作機構を、巻取軸によりスクリーンの巻取りを開始してからクラッチ片相互の接続によりダンパーが動作する減速開始時点まで、上記巻取軸側のクラッチ片をダンパー側のクラッチ片に接近する方向に駆動可能に設定し、
上記支持軸上に、スクリーンの展張時において上記巻取軸側のクラッチ片が該螺旋動作機構の作動範囲を超えたときに、該巻取軸側のクラッチ片を支持軸に対してその場で空転させる空転域を設けた、
ことを特徴とする請求項３または４に記載の自動巻取り式スクリーン装置。
【請求項６】
支持軸上の空転域にある巻取軸側のクラッチ片を螺旋動作機構側に付勢する付勢手段を設けた、
ことを特徴とする請求項５に記載の自動巻取り式スクリーン装置。
【請求項７】
ダンパー側のクラッチ片に対する支持軸の立設深さを調節可能とし、それによってダンパーの動作時期を調節可能にした、
ことを特徴とする請求項５または６に記載の自動巻取り式スクリーン装置。
【発明の詳細な説明】
【０００１】
【発明の属する技術分野】
本発明は、防塵、遮光、断熱、防虫等のための自動巻取り式スクリーン装置に関するものであり、更に具体的には、巻取軸に内蔵したコイルスプリングの捩りによる回転付勢力をスクリーンの巻取用の駆動源とするスクリーン装置において、上記コイルスプリングによる巻取り時の衝撃及び衝突音を緩和するためのダンパーを設けた自動巻取り式のスクリーン装置に関するものである。
【０００２】
【従来の技術】
従来、コイルスプリングを駆動源とする巻取軸にスクリーンを巻き付けると共に、該スクリーンの先端に開閉操作用の操作框を取り付け、該スクリーンを自動的に巻取るようにしたスクリーン装置は、広く知られている。
この種の自動巻取り式のスクリーン装置においては、コイルスプリングの捩りの回転付勢力によりスクリーンを巻取るため、巻取りの完了時に巻取り速度が大きくなって、スクリーンの先端に取付けた操作框が巻取りボックスに衝突する際に大きな衝撃を与え、あるいは大きな衝突音を発生する可能性があり、それに対する対策として、上記巻取り速度の増大を抑制するためのダンパーを設けるなどの配慮がなされている（例えば、特許文献１参照）。
【０００３】
この従来のスクリーン装置におけるダンパーでは、通常、巻取軸の回転方向に関わらず常に巻取軸の回転力が該ダンパーに伝達され、そのダンパーに内蔵した一方向クラッチ機構により、巻取軸にスクリーンを巻取る際には該ダンパーによる抵抗を巻取軸に与え、巻き戻しによりスクリーンを展張する方向に巻取軸を回転させる場合には、上記抵抗を与えないで容易にスクリーンの展張を行えるようにしている。
【０００４】
しかしながら、上記一方向クラッチ機構はダンパーに内蔵しているので、スクリーンを展張する方向に巻取軸を回転させる場合にも、展張操作に若干の抵抗力が作用するのを避けられず、例えばオイルダンパーの場合には、ダンパー内のオイル漏れを防ぐゴムパッキンとそれを貫通する軸との摩擦による抵抗力があり、それによりスクリーンの展張のための操作が多少でも重くなるという問題がある。
また、上記ダンパーは、スクリーンの巻取りのためのコイルスプリングの巻取力を低下させるものであるため、例えばスクリーンに風等が作用している状態でのスクリーンの巻取り力は、ダンパーを設けない場合に比して著しく低下し、場合によっては巻取りが困難になる。
【０００５】
【特許文献１】
特願２００１−３０５３７１
【０００６】
【発明が解決しようとする課題】
本発明の技術的課題は、コイルスプリングを駆動源とする巻取軸にスクリーンを巻き付けて、該スクリーンを自動的に巻取るようにしたスクリーン装置において、上記スクリーンの巻取り時における衝撃及び衝突音を緩和するためのダンパーを設けながらも、スクリーンの展張時における抵抗を可及的に低減することにより操作性を改善した自動巻取り式スクリーン装置を提供することにある。
本発明の他の技術的課題は、任意に設定した減速開始時点まではダンパーが動作しないようにして、スクリーンの巻取りのためのコイルスプリングの巻取り力を有効に作用させるようにした自動巻取り式スクリーン装置を提供することにある。
本発明の他の技術的課題は、上記減速開始時点を簡単に調節可能にした自動巻取り式スクリーン装置を提供することにある。
【０００７】
【課題を解決するための手段】
上記課題を解決するため、本発明は、巻取りボックスに上記巻取軸を回転自在に支持させると共に、その巻取りボックスの一端のブラケットに対して固定的に設けたコイルスプリングの他端を巻取軸に固定したスプリング受けに取り付け、上記巻取りボックスのブラケットに固定された固定軸と巻取軸との間に、該巻取軸に対して制動力を作用させるダンパーを設けた自動巻取り式のスクリーン装置において、上記固定軸上に、上記コイルスプリングの回転付勢力に抗してスクリーンを展張する方向に巻取軸を回転させる場合には、ダンパーと巻取軸との間の接続が断たれ、巻取軸がスクリーンを巻き込む方向に回転する場合には、少なくとも巻取りの後期において上記ダンパーと巻取軸との間が接続される一方向クラッチ機構を介装したことを特徴とするものである。
【０００８】
上記構成を有する自動巻取り式スクリーン装置においては、巻取りボックスに固定した固定軸上のダンパーと巻取軸との間に、スクリーンの巻取り時にダンパーと巻取軸とを接続する一方向クラッチ機構を設け、スクリーンの展張時には該一方向クラッチ機構により巻取軸の回転がダンパーに伝達されないようにしているので、該スクリーンの展張操作時にはダンパー内の摩擦等に起因する抵抗力も作用することがなく、スクリーンの展張時における抵抗を可及的に低減し、従来のダンパー内に一方向クラッチ機構を内蔵する場合に比して、一層軽快にスクリーンの展張操作を行うことができる。
【０００９】
上記自動巻取り式スクリーン装置における一方向クラッチ機構としては、上記巻取りボックスに固定した固定軸にダンパーを介して連結したダンパー側のクラッチ片と、巻取軸と一体的に回転するがその軸線方向には摺動自在とし、且つ上記ダンパー側のクラッチ片に設けた支持軸に対して回転自在に嵌挿された巻取軸側のクラッチ片とを備え、両クラッチ片の間に、スクリーンを展張する方向に巻取軸を回転させる場合には噛合しないが、スクリーンを巻き込む方向に巻取軸が回転する場合には噛合するクラッチ歯を設け、巻取軸側のクラッチ片をダンパー側のクラッチ片に対して両クラッチ歯が噛合する程度に付勢する付勢手段を設けたものを用いることができ、この場合には、一方向クラッチ機構を簡単に構成することができる。
【００１０】
また、該一方向クラッチ機構としては、上記巻取りボックスに固定した固定軸にダンパーを介して連結したダンパー側のクラッチ片と、巻取軸と一体的に回転するがその軸線方向には摺動自在とし、且つ上記ダンパー側のクラッチ片に設けた支持軸に対して螺旋動作機構を介して連結した巻取軸側のクラッチ片とを備え、上記螺旋動作機構は、巻取軸側のクラッチ片が上記支持軸に対して回転はするが、スクリーンを展張する方向に巻取軸を回転させる場合にはその回転に伴って上記ダンパー側のクラッチ片から離間する方向に駆動され、スクリーンを巻き込む方向に巻取軸が回転する場合には上記ダンパー側のクラッチ片に接近する方向に駆動される機構として構成し、両クラッチ片にそれらが当接時に相互に噛合するクラッチ歯を設けたものを用いることもできる。
【００１１】
この場合には、巻取軸に対してダンパーによる制動力を任意時点で作用させ、その時点まではコイルスプリングによるスクリーンの巻取り力を該制動力によって低減させることなく、有効に作用させることができる。
【００１２】
上記螺旋動作機構としては、ダンパー側のクラッチ片上の支持軸と巻取軸側のクラッチ片の双方に設けた相互に螺合するねじを用いることができるが、それに限られるものではなく、例えば、ねじ溝とそれに嵌入するピン等の突子を用いることもできる。
【００１３】
また、本発明の好ましい実施形態においては、巻取軸側のクラッチ片と支持軸との間の上記螺旋動作機構を、巻取軸によりスクリーンの巻取りを開始してからクラッチ片相互の接続によりダンパーが動作する減速開始時点まで、上記巻取軸側のクラッチ片をダンパー側のクラッチ片に接近する方向に駆動可能に設定し、上記支持軸上に、スクリーンの展張時において上記巻取軸側のクラッチ片が該螺旋動作機構の作動範囲を超えたときに、該巻取軸側のクラッチ片を支持軸に対してその場で空転させる空転域を設けたものとして構成され、この場合に、支持軸上の空転域にある巻取軸側のクラッチ片を螺旋動作機構側に付勢する付勢手段を設けることができる。
更に、上記ダンパー側のクラッチ片に対する支持軸の立設深さを調節可能とし、それによってダンパーの動作時期、即ち巻取軸の減速開始時点を調節可能にすることができる。
【００１４】
【発明の実施の形態】
以下に、図面を参照して本発明に係る自動巻取り式のスクリーン装置の実施例について詳述する。
図１及び図２は、本発明に係る自動巻取り式のスクリーン装置の第１実施例の全体的な構成を模式的に示すもので、ここでは、スクリーンを横引き式に開閉できるようにしたスクリーン装置を示しているが、本発明のスクリーン装置は、上記横引き式に限るものではなく、上下方向に開閉するスクリーンを上方に自動巻取りする場合にも適用することができる。
また、上記スクリーン装置は、建物開口部における遮光、断熱、あるいは防虫等に適用するものとして示しているが、それらの用途に限られるものではなく、棚の前面や、食膳を配るために使用される配膳車の開口部用の防塵用スクリーン装置等にも適用することができる。
【００１５】
上記図１及び図２に示しているスクリーン装置は、建物開口部に設置するスクリーン枠１を備え、該スクリーン枠１の一方の側枠２を、スクリーン７を巻付ける回転自在の巻取軸６を支持する巻取りボックスによって構成している。上記スクリーン枠１は、上記側枠２の上下端に連結された上下枠３，４と、該側枠２に対向する他方の側枠５とを相互に連結することにより構成され、上記側枠２を構成する巻取りボックス内の巻取軸６にコイルスプリング９を内蔵させ、このコイルスプリング９の捩りによる回転付勢力を巻取軸６の巻取りのための駆動源として、スクリーン７を自動開放するように構成し、上記スクリーン７の先端には、開閉操作用の操作框８を取り付け、該操作框８に設けた掛け金具１０をスクリーン７の張設時に側枠５に係合させ、スクリーン７を張設状態に保持できるようにしている。また、上記スクリーン７及び操作框８の上下端は、上記上下枠３，４に案内させている。
【００１６】
巻取りボックスの上下端のブラケット１２，１３に対して両端をそれぞれ支持部材１４，１５を介して回転自在に支持させた上記巻取軸６には、その内部に、下部のブラケット１３に端部を固定された固定軸１６を挿通し、該固定軸１６に固定的に支持させたスプリング受け１８にコイルスプリング９の一端を巻着固定すると共に、該コイルスプリング９の他端を、上記固定軸１６には回転自在で巻取軸６には固定したスプリング受け１９に、固定的に取り付けている。従って、スクリーン７の巻取軸６は、固定軸１６にコイルスプリング９を介して連結されている。
【００１７】
また、図３及び図４に詳細に示すように、上記固定軸１６の先端にはオイルダンパー２５を設け、そのオイルダンパーの回転軸２５ａと巻取軸６との間に一方向クラッチ機構３０を設けている。
この一方向クラッチ機構３０は、コイルスプリング９の回転付勢力に抗してスクリーン７を展張する方向に巻取軸６を回転させる場合には、ダンパー２５と巻取軸６との間の接続が自動的に断たれ、巻取軸６がコイルスプリング９の付勢力でスクリーン７を巻き込む方向に回転する場合には、ダンパー２５と巻取軸６との間が接続されるようにしたものである。
【００１８】
具体的には、上記一方向クラッチ機構３０は、その回転軸２５ａに連結したダンパー側のクラッチ片３１と、巻取軸６と一体的に回転するがその軸線方向には摺動自在とし、且つ上記ダンパー側のクラッチ片３１に設けた支持軸３３に対して回転自在に嵌挿した巻取軸側のクラッチ片３２とを備えている。そして、両クラッチ片３１，３２の間には、スクリーン７を展張する方向に巻取軸６を回転させる場合には噛合しないが、スクリーン７を巻き込む方向に巻取軸６が回転する場合には噛合するクラッチ歯３１ａ，３２ａを設けている。
【００１９】
また、巻取軸側のクラッチ片３２をダンパー側のクラッチ片３１に対して両クラッチ歯３１ａ，３２ａが噛合する程度に付勢する付勢手段として、支持軸３３の先端のつば部３３ａとクラッチ片３２との間にばね３４を設けている。このばね３４は、図１のスクリーン装置を上下逆にして設置した場合にもクラッチ片３２をクラッチ片３１に対して常に当接させ得る程度に押すものであればよい。なお、図１の状態でクラッチ片３２の重量がそれを常にクラッチ片３１に押しつけるに十分なものであれば、それを上記付勢手段としてばね３４を省略することもできる。
【００２０】
上記オイルダンパー２５は、上記固定軸１６にケーシングの連結部２５ｂを連結し、該ケーシング内に粘性流体を介して回転自在に収容した制動筒に前記回転軸２５ａを連結して、その回転軸２５ａをケーシングのカバーを通して導出したものであるが、それに限らず、周知の各種構造のものを採用することができる。また、図示した第１実施例では、固定軸１６にダンパー２５のケーシングの連結部２５ｂを連結し、クラッチ片３１にダンパー２５の回転軸２５ａを連結しているが、連結がその逆であっても差し支えない。
【００２１】
上記構成を有する自動巻取り式スクリーン装置においては、巻取りボックスに固定した固定軸１６上のダンパー２５と巻取軸６との間に、スクリーン７の巻取り時にダンパー２５と巻取軸６とを接続する一方向クラッチ機構３０を設け、スクリーン７の展張時には、図４に示すように該一方向クラッチ機構３０により巻取軸６の回転がダンパー２５に伝達されないようにしているので、該スクリーン７の展張操作時にはダンパー２５内の摩擦等に起因する抵抗力も作用することがなく、スクリーン７の展張時における抵抗を可及的に低減し、従来のダンパー内に一方向クラッチ機構を内蔵する場合に比して、一層軽快にスクリーンの展張操作を行うことができる。
【００２２】
一方、スクリーン７をコイルスプリング９に蓄積された回転付勢力によって巻取る場合には、図３に示すように、上記一方向クラッチ機構３０が接続された状態になるので、巻取軸６がダンパー２５を介して固定軸１６に接続されることになり、そのため、該巻取軸６はコイルスプリング９の回転付勢力により回転するが、ダンパー２５の緩衝力によって回転速度の増大が抑制され、それによって、操作框８が巻取りボックスに衝突する際に大きな衝撃を与えたり、大きな衝突音を発生したりするのが防止される。
【００２３】
図５乃至図７は、本発明の第２実施例の要部の動作態様を示している。なお、この第２実施例の一方向クラッチ機構部分を除く全体的構成は、図１及び図２によって説明した第１実施例と実質的に同一であるから、以下の第２実施例の説明では、第１実施例と同一部分については図に付した当該第１実施例の符号を用いて説明し、それらについての重複する説明は省略する。
【００２４】
この第２実施例における一方向クラッチ機構４０は、上記第１実施例の場合と同様に、巻取りボックスのブラケット１３に固定した固定軸１６にダンパー２５を介して連結したダンパー側のクラッチ片４１と、巻取軸６と一体的に回転するがその軸線方向には摺動自在とし、且つ上記ダンパー側のクラッチ片４１に設けた支持軸４３に対して螺旋動作機構４４を介して連結した巻取軸側のクラッチ片４２とを備えている。ダンパー２５自体については、先に第１実施例において説明したとおりである。
【００２５】
両クラッチ片４１，４２の間には、相互に噛合するクラッチ歯４１ａ，４２ａを設けている。これらのクラッチ歯４１ａ，４２ａは、スクリーン７を展張する方向に巻取軸６を回転させる場合には噛合しないが、スクリーン７を巻き込む方向に巻取軸６が回転する場合には噛合するものが望ましいが、必ずしもそのような構成を備える必要はなく、相互の圧接により回転を伝達するものであっても差し支えない。
【００２６】
上記螺旋動作機構４４は、図示したように、ダンパー側のクラッチ片４１上の支持軸４３と巻取軸側のクラッチ片４２の双方に設けたところの相互に螺合する雄ねじ４５と雌ねじ４６によって構成することができるが、例えば、上記支持軸４３またはクラッチ片４２に設けたねじ溝と、他方に設けたそれに嵌入するピン等の突子を用いることもできる。要は、巻取軸側のクラッチ片４２が、上記支持軸４３に対して回転し、スクリーン７を展張する方向に巻取軸６を回転させる場合には、そのクラッチ片４２の回転に伴って上記ダンパー側のクラッチ片４１から離間する方向に駆動され、スクリーン７を巻取る方向に巻取軸６が回転する場合には、上記ダンパー側のクラッチ片４１に接近する方向に駆動される機構であればよい。
【００２７】
図示の第２実施例におけるクラッチ片４２と支持軸４３との間の螺旋動作機構４４では、雄ねじ４５の長さにより、巻取軸６でスクリーン７の巻取りを開始してからクラッチ片４１，４２の相互の接続によりダンパー２５が動作する減速開始時点までのスクリーン７の巻取り量を設定し、その間に上記巻取軸側のクラッチ片４２をダンパー側のクラッチ片４１に接近する方向に駆動（螺動）するようにしている。図５は巻取軸６でスクリーン７の巻取りを開始する時点の状態を、図６はクラッチ片４１，４２の相互の接続によりダンパー２５が動作するようになった状態を示している。
【００２８】
このようにして雄ねじ４５の長さによりダンパー２５が動作する減速開始時点までのスクリーン７の巻取り量を設定すると、巻取り開始から減速開始時点の間においてはダンパー２５が動作せず、そのため、スクリーンに風等の外力が作用していても、コイルスプリング９の強い巻取り力をそのまま利用してスクリーン７を巻取ることができる。
【００２９】
また、巻取軸６がスクリーンの展張方向に回転する場合には、図７に示すように、クラッチ片４２がクラッチ片４１から離間する方向に螺動し、そのため、クラッチ片４１，４２の接続が断たれるので、ダンパー２５に巻取軸６の回転が伝達されることはなく、スクリーン７の展張操作は軽快に行うことができる。
【００３０】
このスクリーン７の展張操作を継続し、クラッチ片４２が該螺旋動作機構４４の作動範囲を超えたとき、即ち、雄ねじ４５に螺合しているクラッチ片４２の雌ねじ４６が該雄ねじ４５の範囲を超えたときには、上記クラッチ片４２を支持軸４３に対してその場で空転させるため、該支持軸４３における雄ねじ４５の刻設端に、ねじのない空転域４７（図６参照）を設けている。上記雄ねじ４５の刻設範囲は、完全な展張状態から巻取軸６でスクリーン７が巻取られる際に、その途中で一対のクラッチ片４１，４２が接合されてダンパー２５が作動を開始するまでにクラッチ片４２の雌ねじ４６が移動する範囲にする必要がある。また、スクリーン７の長さに差があるスクリーン装置に適用する場合においても、上記空転域４７でその長さの差が吸収されることになる。
【００３１】
支持軸４３上における上記空転域４７にあるクラッチ片４２を雄ねじ４５側に付勢するための付勢手段として、上記支持軸４３の先端のつば部４３ａとクラッチ片４２との間にはばね４８を設けている。このばね４８の構成及び作用は、前記第１実施例のばね３４と実質的に同一であるため、その説明を省略する。
【００３２】
上記ダンパー側のクラッチ片４１には、支持軸４３を螺挿により立設し、その螺挿位置を止めねじ等の止着子４９で固定できるようにしている。この支持軸の立設深さは、該止着子４９を外してクラッチ片４１に対する支持軸４３の立設深さを変えることにより自由に調節することができ、それによって上記雄ねじ４５の長さが変わるので、ダンパー２５の動作時期を調節することができる。
【００３３】
【発明の効果】
以上に詳述したように、本発明の自動巻取り式スクリーン装置によれば、コイルスプリングを駆動源とする巻取軸にスクリーンを巻き付けて、該スクリーンを自動的に巻取るようにしたスクリーン装置において、上記スクリーンの巻取り時における衝撃及び衝突音を緩和するためのダンパーを設けながらも、スクリーンの展張時における抵抗を可及的に低減することにより操作性を改善することができ、また、任意に設定できる減速開始時点まではダンパーが動作しないようにして、スクリーンの巻取りのためのコイルスプリングの巻取り力を有効に作用させることもできる。
【図面の簡単な説明】
【図１】本発明にかかる自動巻取り式スクリーン装置の第１実施例を示す部分破断正断面図である。
【図２】同平断面図である
【図３】上記第１実施例のダンパー作動状態（スクリーンの巻取り時）における巻取軸の断面図である。
【図４】上記第１実施例のダンパー不作動状態（スクリーンの展張時）における巻取軸の断面図である。
【図５】本発明の第２実施例の巻取軸側クラッチ片の螺動開始時（スクリーンの巻取り開始時）における巻取軸の断面図である。
【図６】上記第２実施例のダンパー作動状態における巻取軸の断面図である。
【図７】上記第２実施例のスクリーンの展張時における巻取軸の断面図である。
【符号の説明】
６　　巻取軸
７　　スクリーン
８　　操作框
９　　コイルスプリング
１２，１３　ブラケット
１６　　固定軸
１９　　スプリング受け
２５　　オイルダンパー
３０，４０　一方向クラッチ機構
３１，３２，４１，４２　クラッチ片
３３，４３　支持軸
３１ａ，３２ａ，４１ａ，４２ａ　クラッチ歯
４４　　螺旋動作機構
４５　　雄ねじ
４６　　雌ねじ
４７　　空転域
【図１】
2004124649.tif 000003
【図２】
2004124649.tif 000004
【図３】
2004124649.tif 000005
【図４】
2004124649.tif 000006
【図５】
2004124649.tif 000007
【図６】
2004124649.tif 000008
【図７】
2004124649.tif 000009